(57)【特許請求の範囲】
【請求項１】
ディスクを保持するディスクホルダと、ディスクを再生する再生手段と、前記ディスクホルダを初期位置から前記再生手段近傍のローディング位置まで引き出してこのディスクホルダに保持されたディスクを再生手段にチャッキングし、その後ディスクホルダを前記初期位置に復帰させるホルダ移動制御手段とを備えたディスク再生装置において、
前記再生手段は、ディスクホルダとの当接を利用してこのディスクホルダに保持されたディスクを正規のチャッキング位置に規制する回動自在な規制用回動部材と、この規制用回動部材をディスクから離れる方向に付勢する付勢手段を備え、
前記規制用回動部材は、その一端に設けられてディスクを前記正規のチャッキング位置に規制するディスク規制部と、その他端に設けられてディスクホルダに当接するホルダ当接部を備え、
前記規制用回動部材は、ディスクホルダが前記ローディング位置まで引き出された場合に、このディスクホルダによって前記ホルダ当接部を介して押圧されることにより、このディスクホルダに保持されたディスクの径に応じたディスク規制位置に保持され、このディスク規制位置で前記ディスク規制部によってそのディスクを前記正規のチャッキング位置に規制するように構成された
ことを特徴とするディスク再生装置。
【請求項２】
前記ディスクホルダとして、径の異なる複数種類のディスクをそれぞれ保持可能な複数種類のディスクホルダが設けられ、
前記規制用回動部材は、前記複数種類のディスクの各々に応じた複数のディスク規制位置の各々で前記ディスク規制部によってそのディスクを前記正規のチャッキング位置に規制するように構成され、
前記複数種類のディスクホルダの各々は、そのディスクホルダが前記ローディング位置まで引き出された場合に、前記規制用回動部材の前記ホルダ当接部と当接してこれを押圧し、保持したディスクの径に応じた前記ディスク規制位置にこの規制用回動部材を保持する当接部を備える
ことを特徴とする請求項１記載のディスク再生装置。
【発明の詳細な説明】
【０００１】
【発明の属する技術分野】
本発明は、ディスク再生装置に係り、特に、ディスクホルダ内に保持されたディスクを再生手段上の正規のチャッキング位置に確実に搬送するための構造に関するものである。
【０００２】
【従来の技術】
近年、ＣＤプレーヤなどのディスク再生装置においては、ユーザによるディスクの交換操作を極力省略して使用感を向上する観点から、複数枚のディスクを収納可能なマガジンを装着し、このマガジン内に収納された複数枚のディスクの中からユーザが選択したディスクを自動的に選択して再生できるようにしたタイプの装置が多くなっている。このようなディスク再生装置においては、ディスクに記録された情報の再生を行う共通の再生手段によって、複数のディスクの再生を順次行うために、装着されたマガジンから所望のディスクを取り出して再生手段まで搬送し、再生終了後のディスクを再びマガジン内に戻すように構成されている。
【０００３】
このようなディスク再生装置の中で、特に、ディスクを保持する複数のディスクホルダを個々に引き出し可能な配列状態で収納したマガジンを使用して、ディスクホルダの単純な往復動作でマガジン内から再生位置へのディスクのローディング動作あるいは再生位置からマガジン内へのディスクのイジェクト動作を行う方式のものが存在する。この方式のディスク再生装置においては、ディスクローディング時には、選択されたディスクを保持しているディスクホルダを往路動作によって再生手段の近傍まで搬送して、ディスクが所定の再生位置に保持された後に、復路動作によってディスクホルダのみをマガジン内に戻す。また、別のディスクに交換する際やマガジンイジェクト時等におけるディスクイジェクト時には、空のディスクホルダを往路動作によって再生手段の近傍まで搬送し、再生位置に保持されているディスクを収納した後に、復路動作によってディスクホルダをディスク保持状態でマガジン内に戻す。
【０００４】
図７は、このような方式のディスク再生装置の動作手順の一例を示すフローチャートである。すなわち、図７に示すように、マガジンが挿入されると（ステップ１１０）、まず、適宜の手法によりディスクの有無を確認するためのディスクのチェックを行う（ステップ１２０）。次に、ユーザからのディスクの再生指示が与えられると（ステップ１３０）、この再生指示に応じたディスクを保持したディスクホルダをマガジン内から引き出して再生ユニット近傍のローディング位置まで搬送することにより、ディスクホルダに保持されたディスクを再生ユニット上の所定のチャッキング位置まで搬送し（ステップ１４０）、このチャッキング位置でディスクを再生ユニット上にチャッキングし（ステップ１５０）、空のディスクホルダのみをマガジン内に戻し（ステップ１６０）た後、ディスクの再生を行う（ステップ１７０）。
【０００５】
そして、ステップ１７０におけるディスクの再生時に、ユーザから別のディスクの再生指示が与えられた場合には（ステップ１８０）、現在再生中のディスクの空きディスクホルダをマガジン内から引き出して（ステップ１９０）、再生中のディスクをこの空きディスクホルダに挿入し（ステップ２００）、さらに、ディスクを保持したディスクホルダをマガジン内に戻し（ステップ２１０）た後、ステップ１４０に戻って指示された別のディスクを保持したディスクホルダの引き出しを行う。
【０００６】
また、ステップ１７０におけるディスクの再生時に、ユーザからマガジン排出指示が与えられた場合には（ステップ２２０）、現在再生中のディスクの空きディスクホルダをマガジン内から引き出して（ステップ２３０）、再生中のディスクをこの空きディスクホルダに挿入し（ステップ２４０）、さらに、ディスクを保持したディスクホルダをマガジン内に戻し（ステップ２５０）た後、マガジンを排出する（ステップ２６０）。
【０００７】
【発明が解決しようとする課題】
ところで、上記のような従来のディスク再生装置において、ディスクホルダの搬送は、一般的に、水平方向に往復動作可能なホルダ引出部材を使用し、このホルダ引出部材に設けた爪形状の突起部をディスクホルダの一端に設けた係合部と係合させてホルダ引出部材を移動させることで行われる。このようなディスクホルダの搬送時において、ディスクホルダに対するディスクの挿入が不十分であり、ディスクがディスクホルダ内の正規の収納位置から突出している場合には、ディスクホルダが再生手段上の正規のローディング位置に達しても、ディスクが再生手段上の正規のチャッキング位置からずれてしまう。
【０００８】
この場合には、続くディスクチャッキング動作を良好に行うことができず、ディスクチャッキング不良を生じる恐れがある。さらに、このようなディスクチャッキング不良状態でディスクの再生が行われた場合には、ディスクの再生不良を生じる恐れがある。そして、ディスクをディスクホルダ内へ回収する際にも、ディスクをディスクホルダ内に十分に挿入できず、ディスクの回収が不可能になる恐れもある。
【０００９】
本発明は、以上のような従来技術の問題点を解決するために提案されたものであり、その目的は、ディスクがディスクホルダ内の正規の収納位置に収納されていない場合でも、ディスクを再生手段上の正規のチャッキング位置に確実に搬送可能な、動作信頼性の高いディスク再生装置を提供することである。
【００１０】
【課題を解決するための手段】
本発明は、上記の課題を解決するために、再生手段上に、ディスクホルダとの当接を利用してディスクを正規のチャッキング位置に規制可能な規制用回動部材を設けることにより、ディスクホルダ内におけるディスクの収納状態に関わらず、ディスクを再生手段上の正規のチャッキング位置に確実に搬送できるようにしたものである。
【００１１】
請求項１記載のディスク再生装置は、ディスクを保持するディスクホルダと、ディスクを再生する再生手段と、前記ディスクホルダを初期位置から前記再生手段近傍のローディング位置まで引き出してこのディスクホルダに保持されたディスクを再生手段にチャッキングし、その後ディスクホルダを前記初期位置に復帰させるホルダ移動制御手段とを備えたディスク再生装置において、前記再生手段が、次のような規制用回動部材と付勢手段を備えたことを特徴としている。
【００１２】
すなわち、規制用回動部材は、ディスクホルダとの当接を利用してこのディスクホルダに保持されたディスクを正規のチャッキング位置に規制する回動自在な部材であり、付勢手段は、規制用回動部材をディスクから離れる方向に付勢する手段である。ここで、規制用回動部材は、その一端に設けられてディスクを前記正規のチャッキング位置に規制するディスク規制部と、その他端に設けられてディスクホルダに当接するホルダ当接部を備える。そして、規制用回動部材は、ディスクホルダが前記ローディング位置まで引き出された場合に、このディスクホルダによって前記ホルダ当接部を介して押圧されることにより、このディスクホルダに保持されたディスクの径に応じたディスク規制位置に保持され、このディスク規制位置で前記ディスク規制部によってそのディスクを前記正規のチャッキング位置に規制するように構成される。
【００１３】
以上のような構成を有する請求項１記載の発明によれば、ディスクを保持したディスクホルダがローディング位置まで引き出された場合に、このディスクホルダによって規制用回動部材が押圧されてディスク規制位置に保持されるため、この規制用回動部材によってディスクを正規のチャッキング位置に規制することができる。すなわち、ディスクがディスクホルダ内における正規の収納位置に収納されていない場合においても、ディスクホルダがローディング位置まで引き出された時点で規制用回動部材によってディスクの位置を修正することができる。したがって、ディスクホルダ内におけるディスクの収納状態に関わらず、ディスクを正規のチャッキング位置に確実に搬送できる。
【００１４】
請求項２記載のディスク再生装置は、請求項１記載のディスク再生装置において、前記ディスクホルダと前記規制用回動部材が次のように構成されたことを特徴としている。すなわち、ディスクホルダとして、径の異なる複数種類のディスクをそれぞれ保持可能な複数種類のディスクホルダが設けられる。そして、規制用回動部材は、前記複数種類のディスクの各々に応じた複数のディスク規制位置の各々で前記ディスク規制部によってそのディスクを前記正規のチャッキング位置に規制するように構成される。さらに、複数種類のディスクホルダの各々は、そのディスクホルダが前記ローディング位置まで引き出された場合に、前記規制用回動部材の前記ホルダ当接部と当接してこれを押圧し、保持したディスクの径に応じた前記ディスク規制位置にこの規制用回動部材を保持する当接部を備える。
【００１５】
以上のような構成を有する請求項２記載の発明によれば、径の異なる複数種類のディスクを保持する複数種類のディスクホルダの各々について、このディスクホルダがローディング位置まで引き出された場合に、ディスクホルダによって規制用回動部材が押圧されて各ディスクの径に応じた各ディスク規制位置に保持される。そのため、規制用回動部材によって、その複数のディスク規制位置の各々で、径の異なる複数種類のディスクの各々を正規のチャッキング位置にそれぞれ規制することができる。したがって、ディスクの収納状態に関わらず、径の異なる複数種類のディスクを、共通の規制用回動部材によって正規のチャッキング位置に確実に搬送できる。
【００１６】
【発明の実施の形態】
以下には、本発明を、１２ｃｍディスクと８ｃｍディスクを対象とするディスク再生装置に適用した場合の一つの実施の形態について、図１〜図６を参照して具体的に説明する。ここで、図１は、本実施の形態のディスク再生装置を概略的に示す平面図であり、特に、１２ｃｍディスクが収納不良状態にある場合の初期状態を示している。
【００１７】
また、図２〜図６は、図１のディスク再生装置のディスクホルダと再生ユニットの複数の動作状態をそれぞれ概略的に示す平面図である。このうち、図２と図３は、図１の状態に続く１２ｃｍディスクのディスク位置修正状態とディスク再生状態をそれぞれ示している。そして、図４〜図６は、８ｃｍディスクが収納不良状態にある場合の初期状態と、それに続くディスク位置修正状態およびディスク再生状態をそれぞれ示している。
【００１８】
［１．構成］
図１に示すように、装置のケース１内の図中右側には、昇降ユニット（ホルダ移動制御手段）２が、ケース１に対して昇降可能に支持されている。この昇降ユニット２は、ディスクを再生するための再生ユニット（再生手段）３やそのターンテーブル４、およびディスクホルダを引き出すためのホルダ引出部材５等を備えている。
【００１９】
このうち、ホルダ引出部材５は、昇降ユニット２のシャーシに対してディスクの搬送方向である図中左右方向に移動可能に取り付けられており、このホルダ引出部材５の一端には、ディスクホルダの係合部と係合する爪形状の突起部５ａが設けられている。そして、昇降ユニット２は、ディスク選択指令に応じて、ホルダ引出部材５の高さを、選択されたディスクを保持しているディスクホルダの高さに合わせるようにして昇降するようになっている。
【００２０】
また、装置のケース１内の図中左側に設けられたマガジン装着部には、マガジン６が装着されており、このマガジン２内に、図１に示すような１２ｃｍディスク用のディスクホルダ７や、図４に示すような８ｃｍディスク用のディスクホルダ８が、適宜組み合わされて垂直方向に収納されている。そして、図１と図４に示すように、各ディスクホルダ７，８内には、１２ｃｍディスク９と８ｃｍディスク１０がそれぞれ、その主面と平行な方向に挿入して保持されている。なお、各ディスクホルダ７，８の一端には、引き出し用の係合部７ａ，８ａが設けられている。
【００２１】
以上のような基本的な構成に加えて、本実施の形態においては、再生ユニット３のシャーシ上に、ディスクを正規のチャッキング位置に規制するための規制用リンク１１が軸１１ａによって回動可能に設けられている。この規制用リンク１１の一端には、ディスクホルダ７，８と当接するホルダ当接ピン（ホルダ当接部）１２が設けられ、他端には、ディスク９，１０を正規のチャッキング位置に規制するディスク規制ピン（ディスク規制部）１３が設けられている。再生ユニット３のシャーシ上にはまた、この規制用リンク１１をそのディスク規制ピン１３がディスク９，１０から離れる方向である図中反時計方向に付勢する解除ばね１４が設けられている。
【００２２】
より詳細には、ディスクホルダ７または８が図２、図５に示すような正規のローディング位置まで搬送された場合に、このディスクホルダ７または８とホルダ当接ピン１２とが当接し、これにより、規制用リンク１１がディスクホルダによって押圧され、このディスクホルダに保持されたディスクの径に応じた個別のディスク規制位置に保持されるようになっている。すなわち、規制用リンク１１は、図２に示すように、１２ｃｍディスク用のディスクホルダ７と当接した場合には、このディスクホルダ７によって１２ｃｍディスク９のディスク径に応じた第１のディスク規制位置に保持され、図５に示すように、８ｃｍディスク用のディスクホルダ８と当接した場合には、このディスクホルダ８によって８ｃｍディスク１０のディスク径に応じた第２のディスク規制位置に保持されるようになっている。
【００２３】
この場合、ディスクホルダ７，８との当接に基づく規制用リンク１１のディスク規制位置の差異は、ディスクホルダ７，８の当接部の形状の差異による。すなわち、図１と図４を比較すれば明らかなように、各ディスクホルダ７，８は、同じ位置に係合部７ａ，８ａを持っており、これらの係合部７ａ，８ａのホルダ引出部材５側には、“コ”字形の同一の凹部が設けられているのに対し、ディスク側にはそれぞれ互いに異なる位置に互いに異なる角度の“く”字形の凹部が設けられている。そして、このような各ディスクホルダ７，８の係合部７ａ，８ａの異なる位置の異なる凹部が、規制用リンク１１のホルダ当接ピン１２との当接部となっている。
【００２４】
［２．作用］
以上のような構成を有するディスク再生装置によれば、ディスクローディング時において、規制用リンク１１によりディスクを再生ユニット３上の正規のチャッキング位置に規制できる。そのため、仮にディスクがディスクホルダ内の正規の収納位置に収納されていない場合においても、ディスクホルダがローディング位置まで引き出された時点で、規制用リンク１１によってディスクの位置を修正することができる。以下には、この点について簡単に説明する。
【００２５】
［１２ｃｍディスクの位置修正］
図１に示すように、マガジン６内に収納された１２ｃｍディスク用のディスクホルダ７において、このディスクホルダ７に保持された１２ｃｍディスク９が正規の収納位置にない場合に、この収納不良状態にあるディスクの位置は、次のようにして修正される。まず、図１に示すような初期状態から、ホルダ引出部材５を図中右方向に移動させることにより、ディスクホルダ７を再生ユニット３側に搬送する。
【００２６】
その結果、図２に示すように、ディスクホルダ７がローディング位置に達すると、このディスクホルダ７の係合部７ａの“く”字形の凹部と規制用リンク１１のホルダ当接ピン１２が当接し、ディスクホルダ７によって規制用リンク１１が押圧される。このようなディスクホルダ７による押圧に伴い、規制用リンク１１は、解除ばね１４に逆らってディスク規制方向である図中時計方向に若干回動して、第１のディスク規制位置に達する。そして、この規制用リンク１１の回動に伴い、そのディスク規制ピン１３が１２ｃｍディスク９の側面を押圧して、１２ｃｍディスク９の位置を強制的に修正し、この１２ｃｍディスクをターンテーブル４上の正規のチャッキング位置に保持する。
【００２７】
この場合、ホルダ引出部材５によってローディング位置に固定されたディスクホルダ７によって、規制用リンク１１は図２に示すような第１のディスク規制位置に機械的に固定される。そして、このように機械的に固定された規制用リンク１１によって、１２ｃｍディスク９は強制的にその位置を修正され、正規のチャッキング位置に機械的に固定される。
【００２８】
さらに、以上のように、１２ｃｍディスク９の位置修正を行った後、この正規のチャッキング位置で１２ｃｍディスク９を再生ユニット３のターンテーブル４上にチャッキングすることにより、良好なディスクチャッキングを行うことができる。この後、図３に示すように、ホルダ引出部材５を図中左方向に移動させることにより、空のディスクホルダ７のみをマガジン６内に戻すと共に、再生ユニット３を駆動して１２ｃｍディスク９の再生を行う。この場合、規制用リンク１１は、ディスクホルダ７から開放されるため、解除ばね１４の付勢力によってディスクから離れる方向である図中反時計方向に回動し、初期位置に復帰する。
【００２９】
［８ｃｍディスクの位置修正］
図４に示すように、マガジン６内に収納された８ｃｍディスク用のディスクホルダ８において、このディスクホルダ８に保持された８ｃｍディスク１０が正規の収納位置にない場合に、この収納不良状態にあるディスクの位置は、次のようにして修正される。まず、図４に示すような初期状態から、ホルダ引出部材５を図中右方向に移動させることにより、ディスクホルダ８を再生ユニット３側に搬送する。
【００３０】
その結果、図５に示すように、ディスクホルダ８がローディング位置に達すると、このディスクホルダ８の係合部８ａの“く”字形の凹部と規制用リンク１１のホルダ当接ピン１２が当接し、ディスクホルダ８によって規制用リンク１１が押圧される。このようなディスクホルダ８による押圧に伴い、規制用リンク１１は、解除ばね１４に逆らってディスク規制方向である図中時計方向に回動する。ここで、ディスクホルダ８の係合部８ａの“く”字形の凹部が１２ｃｍディスク用のディスクホルダ７のそれよりも浅い位置にあり、ディスクホルダ８は、ディスクホルダ７よりも規制用リンク１１を大きく押圧するため、規制用リンク１１は、図２に示したような第１のディスク規制位置よりさらに回動して、図５に示すような第２のディスク規制位置に達する。そして、この規制用リンク１１の回動に伴い、そのディスク規制ピン１３が８ｃｍディスク１０の側面を押圧して、８ｃｍディスク１０の位置を強制的に修正し、この８ｃｍディスクをターンテーブル４上の正規のチャッキング位置に保持する。
【００３１】
この場合、ホルダ引出部材５によってローディング位置に固定されたディスクホルダ８によって、規制用リンク１１は図５に示すような第２のディスク規制位置に機械的に固定される。そして、このように機械的に固定された規制用リンク１１によって、８ｃｍディスク９は強制的にその位置を修正され、正規のチャッキング位置に機械的に固定される。
【００３２】
さらに、以上のように、８ｃｍディスク１０の位置修正を行った後、この正規のチャッキング位置で８ｃｍディスク１０を再生ユニット３のターンテーブル４上にチャッキングすることにより、良好なディスクチャッキングを行うことができる。この後、図６に示すように、ホルダ引出部材５を図中左方向に移動させることにより、空のディスクホルダ８のみをマガジン６内に戻すと共に、再生ユニット３を駆動して８ｃｍディスク１０の再生を行う。この場合、規制用リンク１１は、ディスクホルダ８から開放されるため、解除ばね１４の付勢力によってディスクから離れる方向である図中反時計方向に回動し、初期位置に復帰する。
【００３３】
［３．効果］
以上説明したように、本実施の形態によれば、再生ユニット３に設けた規制用リンク１１、解除ばね１４と、ディスクホルダ７，８の係合部７ａ，８ａの形状との組み合わせにより、ディスクホルダ７，８の搬送動作を利用して、収納不良状態にあるディスク９，１０の位置を修正することができる。そのため、ディスクホルダ内におけるディスクの収納状態に関わらず、ディスクを正規のチャッキング位置に確実に搬送できる。
【００３４】
特に、本実施の形態においては、単一の規制用リンク１１によって、第１と第２のディスク規制位置の各々で、１２ｃｍディスク９と８ｃｍディスク１０の各々を正規のチャッキング位置にそれぞれ規制することができる。そのため、ディスクの収納状態に関わらず、径の異なる２種類のディスク９，１０を、共通の規制用リンク１１によって正規のチャッキング位置に確実に搬送できると共に、構成を簡素化できる。そして、このように、ディスクを正規のチャッキング位置に確実に搬送できるため、続くディスクチャッキング動作を良好に行うことができる。また、ディスクの収納不良に起因するディスク再生不良やディスク回収不能等を生じることもない。
【００３５】
したがって、本実施の形態によれば、共通の規制用リンク１１と解除ばね１４を使用した簡素な構造により、ディスクホルダ内におけるディスクの収納状態に関わらず、径の異なる２種類のディスク９，１０を正規のチャッキング位置に確実に搬送可能な、動作信頼性の高いディスク再生装置を実現できる。
【００３６】
［４．他の実施の形態］
なお、本発明は、前記実施の形態に限定されるものではなく、本発明の範囲内で他にも多種多様な変形例を実施可能である。
【００３７】
まず、前記実施の形態においては、１２ｃｍディスクと８ｃｍディスクという径の異なる２種類のディスクを対象とする装置について説明したが、本発明は、これらの径のディスクに限定されるものではなく、他の各種の径を有するディスクを対象とする各種の装置に同様に適用可能である。
【００３８】
また、本発明は、径の異なる３種類以上のディスクを対象とする装置についても同様に適用可能である。すなわち、ディスクホルダの当接部の形状をディスクの径に応じて変更することにより、前記実施の形態と同様に共通の規制用回動部材によって複数種類のディスクの位置修正を行うことができる。そして、このように径の異なる３種類以上のディスクを対象とする場合においても、前記実施の形態と同様に、径の異なる複数種類のディスクに対応する複数のディスク規制位置に規制用回動部材を保持し、各ディスク規制位置で、各種類のディスクをそれぞれ規制することにより、同様に優れた効果を得ることができる。
【００３９】
そしてまた、本発明においては、規制用回動部材の複数のディスク規制位置の一つを、規制用回動部材の初期位置と一致させることも可能である。例えば、前記実施の形態においては、規制用回動部材を初期位置から若干回動させた位置を第１のディスク規制位置としてこの位置で大径ディスクを規制し、この第１のディスク規制位置からさらに回動させた位置を第２のディスク規制位置としてこの位置で小径ディスクを規制するように構成したが、規制用回動部材の初期位置と第１のディスク規制位置を一致させることも可能である。この場合に、規制用回動部材は、大径ディスクに対しては何等回動することなしに初期位置のままで大径ディスクを確実に規制することができ、小径ディスクに対してのみ回動してその規制を行うことになるため、規制用回動部材の動作を簡素化できる。すなわち、大径ディスクがディスクホルダから飛び出している場合でも、規制用回動部材を何等回動させることなく、その初期位置のままで大径ディスクの位置を容易に修正できる。
【００４０】
逆に、小径ディスクを規制する位置と初期位置を一致させて、大径ディスクを規制する場合にのみ規制用回動部材を回動させる構成も可能である。さらに、前述したように、径の異なる３種類以上のディスクを対象とする場合にも、１種類のディスクを規制する位置と初期位置を一致させ、他の径のディスクを規制する場合にのみ回動させることにより、規制用回動部材の動作を簡素化できる。
【００４１】
一方、ディスクホルダの当接部の形状を同一とし、規制用回動部材側に、径の異なる複数種類のディスクに応じた複数のディスク規制部を設ける構成や、あるいは、径の異なる複数種類のディスクに応じた個別の規制用回動部材を設ける構成等も可能である。
【００４２】
また、逆に、本発明は、所定の径を有する１種類のディスクを対象とする装置にも同様に適用可能であり、この場合には、ディスクホルダによって規制用回動部材を一つのディスク規制位置に規制すればよいため、構成を簡素化できる。そしてまた、複数種類のディスクを対象とする装置において、特定の種類のディスクのみを位置規制するように構成することも可能である。例えば、収納不良を生じやすい小径のディスクのみを上記の構造によって位置規制するように構成すること等が考えられる。
【００４３】
いずれの場合においても、本発明の規制用回動部材やそのホルダ当接部およびディスク規制部の具体的な形状や数および位置は自由に選択可能である。そして、規制用回動部材やそのホルダ当接部の位置に応じて、ディスクホルダ側の当接部の位置は適切に選択される。また、規制用回動部材によるディスクの損傷を防止するために、回動用規制部材のディスク規制部の表面を弾性材料で覆うこと等も考えられる。そしてまた、本発明において、ディスクホルダや再生手段、ホルダ移動制御手段等の具体的な構成は、自由に選択可能である。
【００４４】
一方、前記実施の形態においては、複数のディスクホルダを収納可能なマガジンを装着するタイプの装置について説明したが、本発明は、単体のディスクホルダを動作させるタイプの装置にも同様に適用可能であり、その場合にも前記実施の形態と同様に優れた効果が得られるものである。
【００４５】
さらに、本発明は、ＣＤ、ＬＤ、ＭＤ、あるいはその組み合わせ等を対象とする各種のディスク再生装置に対して適用可能であり、いずれの場合にも前記実施の形態で記載したような優れた効果が得られるものである。
【００４６】
【発明の効果】
以上説明したように、本発明によれば、再生手段上に、ディスクホルダとの当接を利用してディスクを正規のチャッキング位置に規制可能な規制用回動部材を設けることにより、ディスクホルダ内におけるディスクの収納状態に関わらず、ディスクを再生手段上の正規のチャッキング位置に確実に搬送可能な、動作信頼性の高いディスク再生装置を提供できる。
【図面の簡単な説明】
【図１】本発明に係るディスク再生装置の一つの実施の形態を示す図であり、特に、１２ｃｍディスクが収納不良状態にある場合の初期状態を示す平面図。
【図２】図１のディスク再生装置のディスクホルダと再生ユニットを示す図であり、特に、図１の状態後の、１２ｃｍディスクのディスク位置修正状態を示す平面図。
【図３】図１のディスク再生装置のディスクホルダと再生ユニットを示す図であり、特に、図２の状態後の、１２ｃｍディスクのディスク再生状態を示す平面図。
【図４】図１のディスク再生装置のディスクホルダと再生ユニットを示す図であり、特に、８ｃｍディスクが収納不良状態にある場合の初期状態を示す平面図。
【図５】図１のディスク再生装置のディスクホルダと再生ユニットを示す図であり、特に、図４の状態後の、８ｃｍディスクのディスク位置修正状態を示す平面図。
【図６】図１のディスク再生装置のディスクホルダと再生ユニットを示す図であり、特に、図５の状態後の、８ｃｍディスクのディスク再生状態を示す平面図。
【図７】本発明の対象となる方式のディスク再生装置の動作手順の一例を示す平面図。
【符号の説明】
１…ケース
２…昇降ユニット
３…再生ユニット
４…ターンテーブル
５…ホルダ引出部材
５ａ…突起部
６…マガジン
７…１２ｃｍディスク用のディスクホルダ
７ａ，８ａ…係合部
８…８ｃｍディスク用のディスクホルダ
９…１２ｃｍディスク
１０…８ｃｍディスク
１１…規制用リンク
１１ａ…軸
１２…ホルダ当接ピン
１３…ディスク規制ピン
１４…解除ばね
【図１】
0003751706.tif 000002
【図２】
0003751706.tif 000003
【図３】
0003751706.tif 000004
【図４】
0003751706.tif 000005
【図５】
0003751706.tif 000006
【図６】
0003751706.tif 000007
【図７】
0003751706.tif 000008